(57)【特許請求の範囲】
【請求項１】
取付基体に固定するための固定子の先端部を収容する収容凹部を有する内装部品と、前記収容凹部の開口を開閉可能な蓋部を有する目隠しキャップとを備えていて、
前記目隠しキャップが、前記蓋部の裏側から突設されて先端部にて前記収容凹部の周壁面一側に開設された取付孔に仮保持可能であり仮保持状態では前記蓋部が前記収容凹部の開口を開放した開放状態から前記収容凹部の開口を閉塞した閉塞状態までの範囲で回転可能なヒンジ脚片と、前記蓋部が回転される際に回動先端となる部位の蓋部裏面に設けられて前記蓋部の閉塞状態にて前記収容凹部の周壁面他側に開設された係止孔に対して弾性的に係合・離脱可能な係止片を備えている目隠しキャップの装着構造において、
前記ヒンジ脚片の先端部に弾性変形可能なアンカー部が形成されるとともに、
前記取付孔に、前記アンカー部を所要量弾性変形させた状態にて摺動可能に挟持する所定長さの挟持部と、この挟持部の前記収容凹部側端部に形成されて前記アンカー部と当接して前記アンカー部の前記収容凹部側への移動を規制するストッパ部が形成されていて、
前記目隠しキャップの前記蓋部が開放状態であるときには、前記アンカー部が前記挟持部にて挟持された状態で前記ストッパ部に当接し、前記目隠しキャップの前記係止片が前記係止孔に係合するときには、前記アンカー部が前記挟持部による挟持を解かれているように設定されていることを特徴とする目隠しキャップの装着構造。
【請求項２】
請求項１に記載の目隠しキャップの装着構造において、
前記アンカー部が前記挟持部にて挟持された状態で前記ストッパ部に当接しているときに、前記ヒンジ脚片の中間部と面当たりして前記蓋部の開口開き角を直角以上にする斜面が前記取付孔の上壁部分に形成されていることを特徴とする目隠しキャップの装着構造。
【請求項３】
請求項２に記載の目隠しキャップの装着構造において、
前記ヒンジ脚片の先端部に前記アンカー部とは別に突起を設けて、前記アンカー部が前記挟持部にて挟持された状態で前記ストッパ部に当接しているときには、前記突起が前記取付孔の上壁に当接するように設定されていることを特徴とする目隠しキャップの装着構造。
【発明の詳細な説明】
【技術分野】
【０００１】
本発明は、目隠しキャップの装着構造に関し、特に、取付基体（例えば、車両のドア）に固定するための固定子の先端部（例えば、ネジの頭部）を収容する収容凹部を有する内装部品（例えば、単なる内装部品は勿論のこと、ドアインサイドハンドルを支持するベース等の内装機能部品を含む）と、前記収容凹部の開口を開閉可能な蓋部を有する目隠しキャップとを備えている目隠しキャップの装着構造に関する。
【背景技術】
【０００２】
この種の目隠しキャップの装着構造は、例えば、下記特許文献１に示されている。下記特許文献１に記載されている目隠しキャップの装着構造においては、前記目隠しキャップが、前記蓋部の裏側周縁部分から突設されて先端部にて前記収容凹部の周壁面一側に開設された取付孔に仮保持可能であり仮保持状態では前記蓋部が前記収容凹部の開口を開放した開放状態から前記収容凹部の開口を閉塞した閉塞状態までの範囲で板厚方向にて回転可能な板状のヒンジ脚片を備えるとともに、前記蓋部が前記ヒンジ脚片の板厚方向に回転される際に回動先端となる部位の蓋部裏面に設けられて前記収容凹部の周壁面他側に開設された係止孔に対して弾性的に係合・離脱可能な係止片を備えている。
【先行技術文献】
【特許文献】
【０００３】
【特許文献１】特開２００９−２４３１５０号公報
【発明の概要】
【０００４】
（発明が解決しようとする課題）
ところで、上記した特許文献１に記載されている目隠しキャップの装着構造では、目隠しキャップにおけるヒンジ脚片の側縁に、内装部品における取付孔の壁面に形成された係止段部に係止して取付孔からの脱離を規制する係止突起が設けられている。この場合において、係止突起が設けられている部分の幅と、係止突起が設けられている部分を収容する取付孔の幅が同じ幅に形成されている。このため、目隠しキャップのヒンジ脚片は、内装部品の取付孔に対して脱離を規制された状態で、自由に移動可能であり、目隠しキャップの蓋部が開放状態であるときにも、ヒンジ脚片は取付孔に対して、係止突起が係止段部から離れる方向に、自由に移動可能である。これにより、目隠しキャップの蓋部は、開放状態から閉塞状態に向けて自由に移動可能であって、開放状態で保持され難く、収容凹部の開口における固定子の脱着作業空間に入り込む（倒れ込む）おそれがある。
【０００５】
（課題を解決するための手段）
本発明は、上記した課題を解決すべくなされたものであり、取付基体に固定するための固定子の先端部を収容する収容凹部を有する内装部品と、前記収容凹部の開口を開閉可能な蓋部を有する目隠しキャップとを備えていて、前記目隠しキャップが、前記蓋部の裏側から突設されて先端部にて前記収容凹部の周壁面一側に開設された取付孔に仮保持可能であり仮保持状態では前記蓋部が前記収容凹部の開口を開放した開放状態から前記収容凹部の開口を閉塞した閉塞状態までの範囲で回転可能なヒンジ脚片と、前記蓋部が回転される際に回動先端となる部位の蓋部裏面に設けられて前記蓋部の閉塞状態にて前記収容凹部の周壁面他側に開設された係止孔に対して弾性的に係合・離脱可能な係止片を備えている目隠しキャップの装着構造において、前記ヒンジ脚片の先端部に弾性変形可能なアンカー部が形成されるとともに、前記取付孔に、前記アンカー部を所要量弾性変形させた状態にて摺動可能に挟持する所定長さの挟持部と、この挟持部の前記収容凹部側端部に形成されて前記アンカー部と当接して前記アンカー部の前記収容凹部側への移動を規制するストッパ部が形成されていて、前記目隠しキャップの前記蓋部が開放状態であるときには、前記アンカー部が前記挟持部にて挟持された状態で前記ストッパ部に当接し、前記目隠しキャップの前記係止片が前記係止孔に係合するときには、前記アンカー部が前記挟持部による挟持を解かれているように設定されていることに特徴がある。
【０００６】
（発明の作用効果）
本発明による目隠しキャップの装着構造では、目隠しキャップの蓋部が開放状態であるとき、アンカー部が挟持部にて挟持された状態（所定の摺動抵抗を付与された状態）でストッパ部に当接しているため、目隠しキャップのアンカー部が内装部品の取付孔内での無用な移動（ガタつき）を的確に規制される。このため、目隠しキャップの蓋部が開放状態にて的確に保持されて、蓋部が収容凹部の開口における固定子の脱着作業空間に入り込む（倒れ込む）ことを防止することが可能である。これにより、固定子の脱着作業に際して、目隠しキャップの蓋部が邪魔にならず、固定子の脱着作業を良好に行うことが可能である。
【０００７】
また、本発明では、目隠しキャップの係止片が内装部品の係止孔に係合するとき、アンカー部が挟持部による挟持を解かれているように（挟持部によって摺動抵抗を付与されないように）設定されているため、このときには、目隠しキャップのヒンジ脚片が内装部品の取付孔内を円滑に移動する。このため、目隠しキャップの蓋部にて収容凹部の開口を閉塞する際の操作フィーリング（目隠しキャップの係止片が内装部品の係止孔に弾性的に係合する際のスナップ感）を良好とすることが可能である。
【０００８】
上記した本発明の実施に際して、前記アンカー部が前記挟持部にて挟持された状態で前記ストッパ部に当接しているときに、前記ヒンジ脚片の中間部と面当たりして前記蓋部の開口開き角を直角以上にする斜面が前記取付孔の上壁部分に形成されていることも可能である。この場合には、斜面を設定しない場合に比して、蓋部の開口開き角を直角以上にすることができて、収容凹部の開口における固定子の脱着作業空間を大きく確保することが可能である。
【０００９】
この場合において、前記ヒンジ脚片の先端部に前記アンカー部とは別に突起を設けて、前記アンカー部が前記挟持部にて挟持された状態で前記ストッパ部に当接しているときには、前記突起が前記取付孔の上壁に当接するように設定されていることも可能である。この場合には、挟持部によるアンカー部の挟持、アンカー部のストッパ部との当接、突起の取付孔上壁への当接の協働作用により、ヒンジ脚片の取付孔からの離脱（目隠しキャップの内装部品からの脱落）が的確に防止される。
【図面の簡単な説明】
【００１０】
【図１】本発明による目隠しキャップの装着構造の一実施形態（車両のドア内側に組付けられる内装部品に実施した実施形態）を示した図であり、目隠しキャップの蓋部が内装部品（ベース）における収容凹部の開口を開放した開放状態にある図である。
【図２】図１に示した目隠しキャップの蓋部が内装部品（ベース）における収容凹部の開口を閉塞した閉塞状態にある図である。
【図３】図１および図２に示した目隠しキャップ単体の正面図である。
【図４】図３に示した目隠しキャップの右側面図である。
【図５】図３に示した目隠しキャップの平面図である。
【図６】図１に示した内装部品がグロメットとネジを用いて車両のドア内板に組付けられた状態（目隠しキャップの蓋部が内装部品（ベース）における収容凹部の開口を開放した状態）の要部拡大断面図である。
【図７】図６に示した状態での目隠しキャップにおけるヒンジ脚片の先端部と内装部品（ベース）の取付孔の関係を概略的に示した底面図である。
【図８】図６に示した目隠しキャップの蓋部にて内装部品（ベース）における収容凹部の開口を閉塞した状態の要部拡大断面図である。
【図９】図８の９−９線に沿った断面図である。
【発明を実施するための形態】
【００１１】
以下に、本発明の一実施形態を図面に基づいて説明する。図１〜図９は、本発明による目隠しキャップの装着構造を車両のドア内側に組付けられる内装部品に実施した実施形態を示していて、この実施形態では、車両のドア内板１１（取付基体）にグロメット１２とネジ１３を用いて組付けられるベース２０（内装部品）に、目隠しキャップ３０が組付けられている。なお、ベース２０は、ドアインサイドハンドル４０およびロッキングノブ５０を回動可能に支持する内装部品（詳細には、内装機能部品と呼ばれることもある）であり、ネジ１３の頭部１３ａを収容する円柱状の収容凹部２１を有している。
【００１２】
ベース２０は、例えば、ナイロン、ポリアセタール、ＡＢＳ（アクリロニトリルブタジエンスチレン）等の樹脂素材によって形成された樹脂成形品であり、図６および図８に示したように、上記した収容凹部２１を有するとともに、取付孔２２と係止孔２３を有している。収容凹部２１は、円筒状の周壁２１ａと円環状の底壁２１ｂによって構成されていて、これらによって形成された開口Ａを目隠しキャップ３０の円形状蓋部３１によって開放・閉塞可能であり、周壁２１ａには取付孔２２と係止孔２３が形成され、底壁２１ｂにはネジ挿通孔２４が形成されている。なお、ネジ挿通孔２４には、図６、図８、図９に示したようにネジ１３の脚部１３ｂが挿通されている。
【００１３】
取付孔２２は、目隠しキャップ３０のヒンジ脚片３２が組付けられる部位であり、収容凹部２１の周壁面一側（図１、図２、図６、図８の左側）に開設されていて、目隠しキャップ３０を図１および図６に示したように仮保持可能である。係止孔２３は、目隠しキャップ３０の係止片３３が弾性的に係合・離脱可能な部位であり、収容凹部２１の周壁面他側（図１、図２、図６、図８の右側）に開設されていて、目隠しキャップ３０を図２および図８、図９に示したように装着可能（閉塞状態にて固定可能）である。
【００１４】
目隠しキャップ３０は、例えば、ＰＰ（ポリプロピレン）等によって形成された弾性変形可能な樹脂成形品であり、上記した蓋部３１、ヒンジ脚片３２および係止片３３を備えるとともに、一対の円弧状支持脚部３４を備えている。蓋部３１は、収容凹部２１の開口Ａの内径形状より僅かに小さい外径形状に形成されていて、収容凹部２１の開口Ａを開放・閉塞可能である。なお、蓋部３１が収容凹部２１の開口Ａを閉塞している状態（図８の状態）でも、開口Ａを通して工具（図示省略）を挿入可能であって、同工具（図示省略）にて係止片３３を傾動させてベース２０の係止孔２３から離脱させること（係止片３３のベース２０に対する係合を解除すること）が可能に構成されている。
【００１５】
ヒンジ脚片３２は、目隠しキャップ３０における蓋部３１の裏側周縁部分から突設されて錨形状の先端部３２ａにて収容凹部２１に開設した取付孔２２に図１および図６に示したように仮保持可能であり、仮保持状態では蓋部３１が収容凹部２１の開口Ａを開放した開放状態（図１および図６に示した状態）から収容凹部２１の開口Ａを閉塞した閉塞状態（図２、図８および図９に示した状態）までの範囲で板厚方向にて回転可能な板状に形成されている。なお、この実施形態では、上記した仮保持状態にて、目隠しキャップ３０の蓋部３１や支持脚部３４等がネジ１３の頭部１３ａと平面視にて重ならないように（ネジ１３の脱着に際して目隠しキャップ３０が邪魔にならないように）、ヒンジ脚片３２の自由状態での形状が図３に示したように蓋部３１に対して直角に配置されるように形成されている。
【００１６】
係止片３３は、目隠しキャップ３０の蓋部３１がヒンジ脚片３２の板厚方向に回転される際に回動先端となる部位の蓋部裏面に設けられていて、先端部には係合爪３３ａが形成されている。係合爪３３ａは、蓋部３１の閉塞状態（図２、図８および図９に示した状態）にて収容凹部２１の周壁面他側に開設された係止孔２３に対して弾性的に係合・離脱可能である。なお、係止片３３が設けられている部位の蓋部３１には、開口Ａを通して工具（図示省略）を挿入する作業を容易にするための切欠３１ａ（図２および図３参照）が形成されている。
【００１７】
各支持脚部３４は、図３〜図５に示したように、蓋部３１のヒンジ脚片３２と係止片３３間に在る両裏側周縁部分に設けられていて、所定長さＷで所定高さＨに形成されている。各支持脚部３４の長さＷは、蓋部３１の閉塞状態（図２、図７および図８に示した状態）にて蓋部３１が収容凹部２１内に押し込まれたときでも、目隠しキャップ３０が収容凹部２１内に容易に移動しないように設定されている。また、各支持脚部３４の高さＨは、係止片３３が係止孔２３に対して弾性的に係合している状態（蓋部３１の閉塞状態）では各支持脚部３４の底部が収容凹部２１の底壁２１ｂ上面に当接する（望ましくは、押し付けられるように圧接する）ように設定されている。また、各支持脚部３４は、蓋部３１の中心を通ってヒンジ脚片３２と係止片３３を結ぶ中心線ＣＬに対して対称的に設けられ、係止片３３から同係止片３３の係合・離脱方向にて所定量Ｄ離れて（ヒンジ脚片３２に対しては近接するように）設けられている。なお、前記所定量Ｄは、係止片３３が設けられている部分の蓋部３１の弾性を考慮して設定されている。
【００１８】
ところで、この実施形態においては、ヒンジ脚片３２の先端部３２ａに図４の左右方向（ヒンジ脚片３２の幅方向）にて弾性変形可能なアンカー部（一対のアーム）３２ａ１が形成されるとともに、取付孔２２に、アンカー部３２ａ１を所要量弾性変形させた状態にて摺動可能に挟持する所定長さＳの挟持部（一対の側壁）２２ａと、この挟持部２２ａの収容凹部側端部に形成されてアンカー部３２ａ１と当接してアンカー部３２ａ１の収容凹部側への移動を規制するストッパ部（一対の段部）２２ｂが形成されている。
【００１９】
また、この実施形態においては、目隠しキャップ３０の蓋部３１が開放状態であるときには、図６と図７の実線で示したように、アンカー部３２ａ１が挟持部２２ａにて挟持された状態（図７では、挟持部２２ａにて挟持されて所要量弾性変形するアンカー部３２ａ１の先端部分が弾性変形しない状態で破線にて描かれている）でストッパ部２２ｂに当接し、目隠しキャップ３０の係止片３３が係止孔２３に係合するとき（目隠しキャップ３０の蓋部３１が閉塞状態であるとき）には、図８と図７の仮想線で示したように、アンカー部３２ａ１が挟持部２２ａによる挟持を解かれているように、上記した挟持部２２ａの長さＳが所定値に設定されている。
【００２０】
また、この実施形態においては、アンカー部３２ａ１が挟持部２２ａにて挟持された状態でストッパ部２２ｂに当接しているときに、ヒンジ脚片３２の中間部３２ｂと面当たりして蓋部３１の開口開き角θを大きくする斜面２２ｃが取付孔２２の上壁部分に形成されている。また、ヒンジ脚片３２の先端部３２ａには、アンカー部３２ａ１とは別に突起３２ａ２が設けられていて、アンカー部３２ａ１が挟持部２２ａにて挟持された状態でストッパ部２２ｂに当接しているときには、突起３２ａ２が取付孔２２の上壁２２ｄに当接するように設定されている。（図６参照）
【００２１】
上記のように構成したこの実施形態においては、目隠しキャップ３０の蓋部３１が開放状態であるとき、アンカー部３２ａ１が挟持部２２ａにて挟持された状態（所定の摺動抵抗を付与された状態）でストッパ部２２ｂに当接しているため、目隠しキャップ３０のアンカー部３２ａ１が内装部品２０の取付孔２２内での無用な移動（ガタつき）を的確に規制される。このため、目隠しキャップ３０の蓋部３１が開放状態にて的確に保持されて、蓋部３１が収容凹部２１の開口Ａにおけるネジ１３の脱着作業空間に入り込む（倒れ込む）ことを防止することが可能である。これにより、ネジ１３の脱着作業に際して、目隠しキャップ３０の蓋部３１が邪魔にならず、ネジ１３の脱着作業を良好に行うことが可能である。
【００２２】
また、この実施形態においては、目隠しキャップ３０の係止片３３が内装部品２０の係止孔２３に係合するとき、アンカー部３２ａ１が挟持部２２ａによる挟持を解かれているように（挟持部２２ａによって摺動抵抗を付与されないように）設定されているため、このときには、目隠しキャップ３０のヒンジ脚片３２が内装部品２０の取付孔２２内を円滑に移動する。このため、目隠しキャップ３０の蓋部３１にて収容凹部２１の開口Ａを閉塞する際の操作フィーリング（目隠しキャップ３０の係止片３３が内装部品２０の係止孔２３に弾性的に係合する際のスナップ感）を良好とすることが可能である。
【００２３】
また、この実施形態においては、アンカー部３２ａ１が挟持部２２ａにて挟持された状態でストッパ部２２ｂに当接しているときに、ヒンジ脚片３２の中間部３２ｂと面当たりして蓋部３１の開口開き角θを大きくする斜面２２ｃが取付孔２２の上壁部分に形成されている。このため、斜面２２ｃを設定しない場合に比して、蓋部３１の開口開き角θを大きくすることができて、収容凹部２１の開口Ａにおけるネジ１３の脱着作業空間を大きく確保することが可能である。
【００２４】
また、この実施形態においては、ヒンジ脚片３２の先端部３２ａにアンカー部３２ａ１とは別に突起３２ａ２が設けられていて、アンカー部３２ａ１が挟持部２２ａにて挟持された状態でストッパ部２２ｂに当接しているときには、突起３２ａ２が取付孔２２の上壁２２ｄに当接するように設定されている。このため、挟持部２２ａによるアンカー部３２ａ１の挟持、アンカー部３２ａ１のストッパ部２２ｂとの当接、突起３２ａ２の取付孔上壁２２ｄへの当接の協働作用により、ヒンジ脚片３２の取付孔２２からの離脱（目隠しキャップ３０の内装部品２０からの脱落）が的確に防止される。
【００２５】
また、上記のように構成したこの実施形態においては、目隠しキャップ３０の係止片３３がベース２０の係止孔２３に対して弾性的に係合している状態（蓋部３１の閉塞状態）にて、目隠しキャップ３０に設けた各支持脚部３４の底部がベース２０に設けた収容凹部２１の底壁２１ｂ上面に当接するように設定されていて、目隠しキャップ３０の蓋部３１がベース２０の収容凹部２１内への移動を規制されている。このため、目隠しキャップ３０の蓋部３１が、閉塞状態にあって、ベース２０の収容凹部２１内に向けて押し込まれても、目隠しキャップ３０の蓋部３１は収容凹部２１内に移動し難くて、係止片３３の係止孔２３に対する弾性的な係合が的確に維持される。
【００２６】
また、この実施形態では、目隠しキャップ３０の蓋部３１に設けた支持脚部３４にて、目隠しキャップ３０の蓋部３１がベース２０の収容凹部２１内への移動を規制されているため、ベース２０の収容凹部２１に目隠しキャップ３０の収容凹部２１内への移動を規制するキャップ支承面（段部）を設ける必要がない。このため、コスト低減のために目隠しキャップ無しの仕様を設定する際に、ベース２０の収容凹部２１において意匠性を害する部分（段部）が現れず、見栄えが損なわれない。
【００２７】
また、この実施形態では、目隠しキャップ３０の各支持脚部３４が、ヒンジ脚片３２と係止片３３を結ぶ中心線ＣＬに対して対称的に設けられ、係止片３３から係止片３３の係合・離脱方向にて所定量Ｄ離れて設けられていて、蓋部３１が閉塞状態であるときの目隠しキャップ３０の収容凹部２１内での支持バランスを良好とすることが可能であるとともに、目隠しキャップ３０における蓋部３１の各支持脚部３４が設けられている部位から係止片３３が設けられている部位までの部分に所望の弾性を付与することが可能である。このため、目隠しキャップ３０の蓋部３１にて収容凹部２１の開口Ａを閉塞する際の操作フィーリング（目隠しキャップ３０の係止片３３がベース２０の係止孔２３に弾性的に係合する際のスナップ感）を良好に設定することが可能である。
【００２８】
また、この実施形態では、図４および図７に示したように、ヒンジ脚片３２の段部３２ａ３と、この段部３２ａ３と対向する対向部２２ｅとを備えていて、アンカー部３２ａ１が挟持部２２ａから開放された状態と、アンカー部３２ａ１が挟持部２２ａにて挟持された状態との両方の状態において、段部３２ａ３が対向部２２ｅに近接しており、段部３２ａ３が対向部２２ｅに当接して目隠しキャップ３０の無用な移動（ガタつき）を抑制可能となっている。
【００２９】
また、この実施形態では、図３および図５に示したように、支持脚部３４における収容凹部２１の底面２１ｂに当接する側かつ係止片３３側の端部には、傾斜部３４ａが設けられている。詳説すると、傾斜部３４ａは、蓋部３１が収容凹部２１を閉塞する際に、支持脚部３４がベース２０に干渉しない態様にて設けられている。これにより、支持脚部３４を係止片３３側により近づけて配置可能となる。
【００３０】
上記実施形態においては、本発明を車両のドア内側に組付けられる内装部品（ドアインサイドハンドル４０およびロッキングノブ５０を回動可能に支持するベース２０）に実施したが、本発明は他の車両用内装部品は勿論のこと、車両用内装部品以外の種々な内装部品にも同様にまたは適宜変更して実施することが可能である。
【符号の説明】
【００３１】
１１…ドア内板（取付基体）、１２…グロメット、１３…ネジ、１３ａ…ネジの頭部、１３ｂ…ネジの脚部、２０…ベース（内装部品）、２１…収容凹部、２１ａ…周壁、２１ｂ…底壁、２２…取付孔、２２ａ…挟持部、２２ｂ…ストッパ部、２２ｃ…斜面、２２ｄ…取付孔の上壁、２３…係止孔、２４…ネジ挿通孔、３０…目隠しキャップ、３１…蓋部、３１ａ…切欠、３２…ヒンジ脚部、３２ａ…先端部、３２ａ１…アンカー部（一対のアーム）、３２ａ２…突起、３２ｂ…中間部、３３…係止片、３３ａ…係合爪、３４…支持脚部、Ａ…開口、θ…開口開き角、ＣＬ…ヒンジ脚片と係止片を結ぶ中心線
【図１】
0005372882.tif 000002
【図２】
0005372882.tif 000003
【図３】
0005372882.tif 000004
【図４】
0005372882.tif 000005
【図５】
0005372882.tif 000006
【図６】
0005372882.tif 000007
【図７】
0005372882.tif 000008
【図８】
0005372882.tif 000009
【図９】
0005372882.tif 000010